(57)【特許請求の範囲】
【請求項１】
シートを折り畳みまたは重ね合わせ、通常の状態では接着することなく、加圧により接着する接着剤層をもって、重ね合わせ面を剥離可能に接着する接着用シートであって、シートを重ね合わせた際、少なくとも一方のシートの重ね合わせ面と反対側の面の端縁側に位置する部分の厚みを他の部分より減じてなる重ね合わせ接着用シート。
【発明の詳細な説明】
【０００１】
【発明の属する技術分野】
本発明は、１枚のシートを折り部を介して折り畳んだり、切り重ねたり、あるいは別体のシートを重ね合わせるなどし、加圧により重ね合わせ面を剥離可能に接着して、重ね合わせカード、重ね合わせ葉書、重ね合わせ封書とする重ね合わせ接着用シートに関する。
【０００２】
【従来の技術】
従来から、この種の重ね合わせ接着用シートは各種知られているが、一般的には重ね合わされる各シートは同一サイズで構成されている。
【０００３】
【発明が解決しようとする課題】
したがって、従来の重ね合わせ接着用シートは、重ね合わせカード、重ね合わせ葉書、重ね合わせ封書などとした時に、剥離可能な接着面を剥離することが容易でないという不都合があり、この不都合は、特に年少者や高齢者にとって顕著であった。
【０００４】
そこで、従来では、シートを重ね合わせた際、一方のシートの端縁側に位置する部分をカットして、このカット部をもって未カット部との間に段差を設け、この段差を指掛け部とし、剥離可能な接着面を剥離することを容易とする技術が想到され、一般的に普及している。
【０００５】
しかしながら、一方のシートの端縁側に位置する部分をカットすると段差が指掛けに好適である反面、重ね合わせ接着用シートの配送中や受取人の取り扱い中に段差が突起物に引っかかり、不用意に重ね合わせ面の一部が剥離したり、あるいは重ね合わせ面には、通常情報が印字されるが、カットされた部分には情報が印字できなかったり、さらに、重ね合わされる各シートが同一サイズでない場合には受取人による整理保護が行い難い、などの不都合も生じている。
【０００６】
このような不都合を鑑み、本発明は、シートを重ね合わせた際、一方のシートの端縁側に位置する部分をカットすることなく、剥離可能な接着面の剥離を極めて容易とした重ね合わせ接着用シートの提供を目的とする。
【０００７】
【課題を解決するための手段】
かかる課題を解決するため、本発明者は、シートを重ね合わせた際、少なくとも一方のシートの、重ね合わせ面と反対側の面における端縁側に位置する部分の厚みを他の部分より減じることで、この部分を容易に未接着状態あるいは弱接着状態とさせることを見いだし、本発明を想到した。
【０００８】
すなわち、本発明の重ね合わせ接着用シートは、シートを折り畳みまたは重ね合わせ、通常の状態では接着することなく、加圧により接着する接着剤層をもって、重ね合わせ面を剥離可能に接着する接着用シートであって、シートを重ね合わせた際、少なくとも一方のシートの重ね合わせ面と反対側の面の端縁側に位置する部分の厚みを他の部分より減じてなることを特徴とする。
【０００９】
したがって、本発明の重ね合わせ接着用シートによれば、少なくとも一方のシートの重ね合わせ面と反対側の面の端縁側に位置する部分の厚みを他の部分より減じたため、所定のドライシーラーにて加圧接着した際、当該部分以外には重ね合わせ面を接着するための所定のニップ圧がかかるが、厚みの薄い当該部分には十分なニップ圧力がかからず未接着状態ないし弱接着状態となり、もって、この部分を指掛けして剥離すれば剥離が容易となる。
【００１０】
【発明の実施形態】
以下、本発明の重ね合わせ接着用シートを、好適な実施例と添付の図面に基づき、さらに詳述する。なお、ここにおいて、図１は本発明の重ね合わせ接着用シートの平面図、図２は図１のＸ−Ｘ線断面図、図３は図１の重ね合わせ接着用シートを重ね合わせた状態の概略的断面説明図、図４は別の実施例における重ね合わせ接着用シートの平面図、図５は図３のＸ−Ｘ線断面図、図６は図４の重ね合わせ接着用シートを重ね合わせた状態の概略的断面説明図である。
【００１１】
図１に示す重ね合わせ接着用シート１は「二つ折り情報隠蔽葉書」として構成されており、シート基材２の重ね合わせ面には所定の圧力にて剥離可能に接着する接着剤層３が施され、重ね合わせの際には折り部７を介して折り畳まれ、葉書形態で情報が隠蔽されるものである。なお、シート基材２の重ね合わせ面には情報が印字されるが、当該情報については、シート基材２面に直接印字され、その印字面に接着剤層３が施されるか、あるいは接着剤層３がシート基材２面に施された後に当該接着剤層３面に施されるかの何れかであるが、本発明においては特に限定はしない。
【００１２】
そして、図２に示すように、図１の重ね合わせ接着用シート１の重ね合わせシートの端縁側に位置する左右下部の角部４，４には、予めレーザー照射装置にてレーザ光が照射され、当該照射部が昇華され、その部分のシート基材２が三角形の形態で切削された状態となり、角部４，４におけるシート基材２の厚みは、その他の部分の略１／２になっている。このように、角部４，４の部分は何れもカットされずにシート基材が残るため、図１にも示すように、所定の印刷や印字をこの部分にかかって施すことができる。
【００１３】
したがって、図１の重ね合わせ接着用シート１を重ね合わせ、所定のドライシーラーにて加圧した場合は、角部４，４以外には重ね合わせ面を接着するための所定のニップ圧がかかり接着状態となるが、厚みの薄い角部４，４には十分なニップ圧力がかからないため未接着状態ないし弱接着状態となり、図３に示すように、この部分が好適な剥離部６となる。
【００１４】
さらに、別の実施例を挙げ、本発明をさらに詳述する。
図４に示す重ね合わせ接着用シート１１は「三つ折り情報隠蔽葉書」として構成されており、シート基材２の重ね合わせ面には所定の圧力にて剥離可能に接着する接着剤層３が施され、重ね合わせの際には折り部７ａおよび折り部７ｂを介してＺ字状に折り畳まれ、図１の重ね合わせ接着用シート１と同様に、重ね合わせ面に印字された情報が隠蔽されるものである。
【００１５】
そして、図５に示すように、図４の重ね合わせ接着用シート１１の端縁側に位置する左右の縁辺部５，５は予め凸版ロールにて押圧され、当該縁辺部５，５におけるシート基材２の厚みは、その他の部分の略１／２になっている。なお、本実施例についても、前記実施例と同様に、縁辺部５，５の部分は何れもカットされずにシート基材が残るため、図４にも示すように、所定の印刷や印字をこの部分にかかって施すことができる。
【００１６】
そして、図４の重ね合わせ接着用シート１１を所定のドライシーラーにて加圧した場合、図１の重ね合わせ接着用シート１と同様に、縁辺部５，５以外には重ね合わせ面を接着するための所定のニップ圧がかかり接着状態となるが、厚みの薄い縁辺部５，５には十分なニップ圧力がかからないため、未接着状態ないし弱接着状態となり、図６に示すように、この部分がそれぞれ好適な剥離部６，６となる。
【００１７】
なお、上記各実施例は、何れも１枚のシートを所定の折り部を介して重ね合わせるものであるが、本発明はこれに限定されず、１枚のシートを切り重ねたり、あるいは別体のシートを重ね合わせるなどとしたものに対しても、本発明を好適に応用できるものである。
【００１８】
【発明の効果】
以上、説明したように、本発明の重ね合わせ接着用シートによれば、少なくとも一方のシートの重ね合わせ面と反対側の面の端縁側に位置する部分の厚みを他の部分より減じたため、所定のドライシーラーにて加圧接着した際、当該部分以外には重ね合わせ面を接着するための所定のニップ圧がかかるが、厚みの薄い当該部分には十分なニップ圧力がかからず未接着状態ないし弱接着状態となり、もって、この部分を指掛けして剥離すれば剥離が容易となるといった効果を泰するものである。
【図面の簡単な説明】
【図１】本発明の重ね合わせ接着用シートの平面図。
【図２】図１のＸ−Ｘ線断面図。
【図３】図１の重ね合わせ接着用シートを重ね合わせた状態の概略的断面説明図。
【図４】図４は別の実施例における重ね合わせ接着用シートの平面図。
【図５】図３のＸ−Ｘ線断面図。
【図６】図４の重ね合わせ接着用シートを重ね合わせた状態の概略的断面説明図。
【符号の説明】
１、１１  重ね合わせ接着用シート
２  シート基材
３  接着剤層
４  角部
５  縁辺部
６  剥離部
７、７ａ、７ｂ  折り部
【図１】
0003998854.tif 000002
【図２】
0003998854.tif 000003
【図３】
0003998854.tif 000004
【図４】
0003998854.tif 000005
【図５】
0003998854.tif 000006
【図６】
0003998854.tif 000007